(57)【要約】【課題】組立て性および分解性に優れ、かつ組立て環境を汚染したりデータの読み書きに悪影響を与えたりする虞れがない小型ディスクカートリッジのハウジングの組立て構造を提供する。【解決手段】金属素材からなる上下シェル３，４の側壁に、フレーム２の側壁に形成された複数の凹部１１にそれぞれ係着可能な複数の弾性係着片１２を設け、これら弾性係着片１２の凹部１１への係着によってハウジングを組み立てる。【選択図】　　　　　図１
2004087030.tif 000002
【特許請求の範囲】
【請求項１】
フレームと該フレームの上下に被せられた金属板からなる上下シェルとによって構成された扁平なハウジング内に、直径５０．８ｍｍ以下のディスク型記録媒体を回転自在に収容してなるディスクカートリッジにおいて、
前記フレームの側壁の複数箇所に凹部が形成され、前記上下シェルの側壁に、前記フレームの前記凹部にそれぞれ係着可能な複数の弾性係着片が設けられ、該弾性係着片の前記凹部への係着によって前記ハウジングが組み立てられていることを特徴とするディスクカートリッジ。
【請求項２】
前記弾性係着片が、上下方向から前記フレームの前記凹部に係着可能なように構成されていることを特徴とする請求項１記載のディスクカートリッジ。
【請求項３】
前記上下シェルの一方のシェルの側壁に、他方のシェルの側壁に係着可能な弾性係着片がさらに設けられていることを特徴とする請求項２記載のディスクカートリッジ。
【請求項４】
前記フレームの側壁に形成された前記凹部が、該側壁の長手方向に沿って延びるスリットからなり、前記弾性係着片が、前記スリットの延長方向から挿入される態様で該スリットに係着されることを特徴とする請求項１記載のディスクカートリッジ。
【請求項５】
前記弾性係着片が、前記フレームの側壁面上を該側壁の長手方向に沿ってスライドする態様で前記凹部に係着されることを特徴とする請求項１記載のディスクカートリッジ。
【請求項６】
前記上下シェルが形状記憶合金で形成されていることを特徴とする請求項５記載のディスクカートリッジ。
【発明の詳細な説明】
【０００１】
【発明の属する技術分野】
本発明は、フレームと該フレームの上下に被せられた金属板からなる上下シェルとによって構成された扁平なハウジング内に、直径５０．８ｍｍ（２インチ）以下のディスク型記録媒体を回転自在に収容してなる小形ディスクカートリッジに関し、特にハウジングの組立て構造に関するものである。
【０００２】
【従来の技術】
従来より、デジタルカメラ等のモバイル機器においては、記録媒体として例えば図９に概略的に示すような「ｃｌｉｋ！（登録商標）」と呼ばれる超小型の磁気ディスクカートリッジが使用されている。この磁気ディスクカートリッジ１は、幅５０ｍｍ、奥行き５５ｍｍ、厚さ１．９５ｍｍという寸法を有し、樹脂製のフレーム２と、金属素材（厚さ０．２ｍｍのステンレス鋼板）からなる上下シェル３，４とによって構成されたハウジング内に、４０ＭＢの記憶容量を有する直径１．８インチ（４５．７ｍｍ）の磁気ディスクを回転自在に収容するとともに、上記ハウジングは、このカートリッジが装填されるディスクドライブが備えている磁気ヘッドを磁気ディスクの表面にアクセスさせるための開口６と、この開口６を開閉するロータリーシャッタ７とを備えている。上下シェル３，４は、それらの側壁の縁部をつき合わせて１０箇所以上の部位Ｐでレーザー溶接されて組み立てられている。
【０００３】
また従来より、パーソナルコンピュータの記録媒体として３．５インチ（８９ｍｍ）のフロッピー（登録商標）ディスクを備えた磁気ディスクカートリッジ（図示は省略）が広く使用されているが、そのハウジングは、樹脂製の上下シェルが超音波溶着されて組み立てられている。
【０００４】
【発明が解決しようとする課題】
しかしながら、上述のような従来のディスクカートリッジにおけるハウジングの組立て構造は、下記の３点で問題があった。
【０００５】
（１）　組立て作業上の問題点：
レーザー溶接機あるいは超音波溶着機のような高価な特殊機械を必要とするとともに、上下シェルをずれのないように精密に位置決めする必要がある。
【０００６】
（２）　塵埃発生の問題点：
溶接または溶着時にべーパーやスパッタ屑が発生し、この微細な屑が記録媒体上に付着して、データの読み書きに悪影響を及ぼす。また、組立てスペースが汚染される（組立てスペースはクラス１００〜１０００のクリーン度が必要）。
【０００７】
（３）　分解性上の問題点：
リサイクルまたは分別廃棄のための分解時に、溶接または溶着部分を破壊しなければならず、非常に手間がかかり、かつ分解により上下シェルともに破壊されてしまうので、上下シェルの再利用が不可能である。
【０００８】
そこで本発明は、上述した問題点を全て解決した上下シェルの組立て構造を提供することを目的とするものである。
【０００９】
【課題を解決するための手段】
本発明は、フレームとこのフレームの上下に被せられた金属板からなる上下シェルとによって構成された扁平なハウジング内に、直径５０．８ｍｍ以下のディスク型記録媒体を回転自在に収容してなるディスクカートリッジにおいて、
フレームの側壁の複数箇所に凹部が形成され、上下シェルの側壁に、上記凹部にそれぞれ係着可能な複数の弾性係着片が設けられ、これら弾性係着片の上記凹部への係着によってハウジングが組み立てられていることを特徴とするものである。
【００１０】
本発明の一つの態様によれば、上記弾性係着片が、上下方向からフレームの周壁の凹部に係着可能なように構成されている。その場合、上下シェルの一方のシェルの側壁に、他方のシェルの側壁に係着可能な弾性係着片をさらに設けてもよい。
【００１１】
本発明の別の態様によれば、フレームの側壁に形成された凹部が、この側壁の長手方向に沿って延びるスリットからなり、上記弾性係着片が、上記スリットの延長方向から挿入される態様で上記スリットに係着される。
【００１２】
本発明のさらに別の態様によれば、上記弾性係着片が、フレームの側壁面上をこの側壁の長手方向に沿ってスライドする態様で凹部に係着されるように構成される。その場合、上下シェルを弾性係着片を形状記憶合金で形成してもよい。
【００１３】
【発明の効果】
本発明によれば、金属製上下シェルの側壁に、フレームの側壁に形成された複数の凹部にそれぞれ係着可能な複数の弾性係着片が設けられ、これら弾性係着片の上記凹部への係着によってハウジングが組み立てられていることにより、レーザー溶接機のような高価な特殊機械を必要とせずにカートリッジを容易かつ精度良く組み立てることができ、また、組立て環境を汚染しかつデータの読み書きに悪影響を与える虞れがあるべーパーやスパッタ屑が組み立て時に発生することもなく、さらに、分別廃棄またはリサイクル時の分解が容易で、上下シェルの再利用も可能である等の数々の利点がある。
【００１４】
さらに、上下シェルを形状記憶合金で形成して、温度が使用温度を外れた所定の高い温度以上になると弾性係着片がその係着を解除する方向に動くように設定しておけば、ハウジングの分解時に弾性係着片を加熱することにより、ハウジングの分解を容易にすることができる。
【００１５】
【発明の実施の形態】
以下、本発明の実施の形態について、図面を参照して詳細に説明する。
【００１６】
図１は、本発明によるディスクカートリッジのハウジングの第１の実施の形態の分解斜視図である。
【００１７】
図１に示す磁気ディスクカートリッジのハウジングも、図９に示した磁気ディスクカートリッジ１と略同寸法の樹脂製のフレーム２と、このフレーム２に上下方向から被せられる金属板からなる上下シェル３，４とによってハウジングが構成されている。上下シェル３，４の材質は、入手性および強度の点から、厚さ０．１５〜０．２ｍｍ、好ましくは０．２ｍｍのステンレス鋼板がよい。
【００１８】
フレーム２は、ディスクおよびロータリーシャッタを収容する円弧状空所の両側に延びるアーム部を備えている。両アーム部の外側壁には、フレーム２の上下面間に延びる複数の凹部１１が形成されており、上シェル３の側壁にはその下縁３ａから下方へ延びる複数の弾性係着片１２が、下シェル４の側壁にはその上縁４ａから上方へ延びる複数の弾性係着片１２が、それぞれ上記凹部１１に係着可能に、かつ上下シェル３，４と一体に形成されている。
【００１９】
図２（ａ）〜（ｃ）は、上シェル３側に形成された互いに形状が異なる３種類の弾性係着片１２と、これら弾性係着片１２がそれぞれ係着されるフレーム２側の凹部１１の形状を例示した図で、横列の（イ）は３種類の弾性係着片１２の正面図、（ロ）　は各弾性係着片１２の断面図、（ハ）は各弾性係着片１２が係着される凹部１１の断面図、（ニ）は弾性係着片１２が凹部１１に係着された状態を下シェル４とともに示す断面図である。
【００２０】
図１および図２（ａ）に示す弾性係着片１２は内方へ突出する爪１２ａを備え、これに対応して凹部１１側には、爪１２ａが係着される段部１１ａが形成されている。また、図２（ｂ）に示す弾性係着片１２は絞り突起１２ｂを備え、これに対応して凹部１１側には、突起１２ｂが係入する凹穴１１ｂが形成されている。さらに、図２（ｃ）に示す弾性係着片１２は孔１２ｃを備え、これに対応して凹部１１側には、孔１２ｃに係入する突起１１ｃが形成されている。
【００２１】
図２の場合、その横列（ニ）から明らかなように、各弾性係着片１２が下シェル４の上縁４ａから下シェル４の内側へ潜り込むように構成されており、その潜込みを容易にするために、各弾性係着片１２の根元の両側には横列（イ）に示すようなスリット３ｂ，３ｂが形成されている。
【００２２】
あるいはスリット３ｂに代え、図２（ａ）〜（ｃ）に対応する図３（ａ）〜（ｃ）に示すように、弾性係着片１２の根元を内側に屈曲させて段部３ｃを形成し、各弾性係着片１２が下シェル４の上縁４ａから下シェル４の内側へ容易に潜り込めるようにしてもよい。
【００２３】
また、下シェル４側にも上記と同様の構成を有する複数の弾性係着片１２が設けられ、上シェル３側の弾性係着片１２が係着される凹部１１とは別の凹部１１にそれぞれ係着されるように構成されている。
【００２４】
次の図４は、本発明によるディスクカートリッジのハウジングの第２の実施の形態の分解斜視図である。
【００２５】
本実施の形態は上述した第１の実施の形態の変形であって、フレーム２のディスクおよびロータリーシャッタを収容する円弧状空所の両側に延びるアーム部が図１のものよりも短く形成されており、アーム部の側壁に形成されている複数の凹部１１の数が減少している。そのため、一方のシェルの一部の弾性係着片が、他方のシェルの側壁面に直接係着されるように構成されている。
【００２６】
図５（ａ）〜（ｃ）は、下シェル４側に形成された、図２（ａ）〜（ｃ）と同様に互いに形状が異なる３種類の弾性係着片１４と、これら弾性係着片１４がそれぞれ係着される上シェル３側の被係着部の形状を示す図で、縦列の（イ）は３種類の弾性係着片１４の係着部の断面図、（ロ）　は弾性係着片１４の正面図である。
【００２７】
図４および図５（ａ）に示す弾性係着片１４は内方へ突出する爪１４ａを備え、これに対応して上シェル３側には、爪１４ａが係着される段部１３ａが形成されている。また、図５（ｂ）に示す弾性係着片１４は絞り突起１４ｂを備え、これに対応して上シェル３側には、突起１４ｂが係入する凹穴１３ｂが形成されている。さらに、図５（ｃ）に示す弾性係着片１４は孔１４ｃを備え、これに対応して上シェル３側には、孔１４ｃに係入する突起１３ｃが形成されている。
【００２８】
図６は、本発明によるディスクカートリッジのハウジングの第３の実施の形態のフレームおよび下シェルを示す分解斜視図である。なお図６においては、上シェルが省略されている。
【００２９】
本実施の形態では、図７（ａ）に示すように、フレーム２のアーム部の側壁にこの側壁の長手方向に沿って延びるスリット１５がアーム部の先端側から根元側に向かって形成され、上シェル３の側壁の下縁３ａおよび下シェル４の側壁の上縁４ａには、内方へ略直角に屈折された弾性係着片１６が形成されている。これら弾性係着片１６は、アーム部の先端側からスリット１５に挿入されてスリット１５に係着される。
【００３０】
この場合、互いに平行なスリット１５を２本設けて、それぞれ上シェル３用、下シェル４用に割り当ててもよいが、カートリッジ小型化の観点から、図７（ａ）に示すように、スリット１５は１本が好ましく、その場合には、スリット１５の幅ｔを上下シェル３，４の双方の弾性係着片１６の双方が挿入可能な値に設定すればよい。
【００３１】
また、図７（ｂ）に示すように、スリット１５の終端近傍にスリット１５の幅が徐々に狭くなる部分１５ａを設け、弾性係着片１６を押し込んで行くとスリット１５に係着されるように構成してもよい。あるいは、図７（ｃ）に示すように、スリット１５の一部に凸部１５ｂを設け、弾性係着片１６の一部に上記凸部１５ｂに係合し得る凹部（図示は省略）を形成した場合も、弾性係着片１６を押し込んで行くと係着されることになる。
【００３２】
次の図８は、本発明によるディスクカートリッジのハウジングの第４の実施の形態を示す分解斜視図である。
【００３３】
本実施の形態では、フレーム２の側壁に、上下方向から見てＶ字状をなすノッチ１７が形成され、これに対応して、上下シェル３，４には、フレーム２のアーム部の先端側からこのフレーム２の両側壁面上をスライドして、フレーム２を左右から挟み込む態様で最も手前側のノッチ１７、１７に係着される弾性係着片１８，１８と、他のノッチ１７、１７に係着される弾性部１９、１９とが形成されている。なお、弾性係着片１８の係着部の形状は、図２および図３に示したものを選択してもよい。
【００３４】
本実施の形態においては、上下シェル３，４の素材に例えばＣｏ−Ｎｉ−Ａｌ系合金からなる形状記憶合金を使用してもよい。その場合、常温では、弾性係着片１８，１８がフレーム２を左右から挟み込んでノッチ１７、１７に強固に係着いるが、温度が使用温度を外れた高い所定温度以上、例えば８０℃以上になると、弾性係着片１８，１８が開いてノッチ１７、１７から脱出するよう設定しておけば、ハウジングの分解時に、弾性係着片１８，１８を加熱することにより、ハウジングの分解を容易にすることができる。
【００３５】
以上説明した本発明の実施の形態は、いずれも組立て性および分解性に優れ、かつ組立て環境を汚染したりデータの読み書きに悪影響を与えたりする虞れがないこと明らかである。
【図面の簡単な説明】
【図１】本発明によるディスクカートリッジのハウジングの第１の実施の形態の分解斜視図
【図２】図１の上シェル側に形成された互いに形状が異なる３種類の弾性係着片と、これら弾性係着片がそれぞれ係着されるフレーム側の凹部の形状を例示した図
【図３】図２の変形例を図２に対応させて示す図
【図４】本発明によるディスクカートリッジのハウジングの第２の実施の形態の分解斜視図
【図５】図３の下シェル側に形成された互いに形状が異なる３種類の弾性係着片と、これら弾性係着片がそれぞれ係着される上シェル側の被係着部の形状を例示した図
【図６】本発明によるディスクカートリッジのハウジングの第３の実施の形態の分解斜視図
【図７】図６のスリットの正面図
【図８】本発明によるディスクカートリッジのハウジングの第４の実施の形態を示す分解斜視図
【図９】従来のディスクカートリッジの斜視図
【符号の説明】
１　　ディスクカートリッジ
２　　フレーム
３　　上シェル
４　　下シェル
１１　　凹部
１２，１４，１６，１８　　弾性係着片
１５　　スリット
【図１】
2004087030.tif 000003
【図２】
2004087030.tif 000004
【図３】
2004087030.tif 000005
【図４】
2004087030.tif 000006
【図５】
2004087030.tif 000007
【図６】
2004087030.tif 000008
【図７】
2004087030.tif 000009
【図８】
2004087030.tif 000010
【図９】
2004087030.tif 000011